(57)【要約】【課題】やけどの危険性をより一層抑えることができる電気加熱調理器を提供する。【解決手段】ヒーター４，５による加熱動作時に高温になる扉２と、当該扉２に設けられた把手１０の把持部１１との間に、把持部１１を把持する使用者の手指が扉２に直接接触することを妨げるようにガード部材１３を設ける。【選択図】図１
2012149870.tif 000002
【特許請求の範囲】
【請求項１】
前面に開口部を有する筐体と、
前記筐体内に設けられた加熱室に面するように配置され、回動軸を中心として回動することにより前記開口部を開閉可能な扉と、
前記加熱室内を加熱するヒーターと、
を備え、
前記扉には、把手が設けられ、
前記把手は、前記扉の開閉操作の際に使用者に把持される部分であって、前記扉から離れて位置する把持部を有し、
前記把持部と前記扉との間には、前記把持部を把持する使用者の手指が前記扉に直接接触することを妨げるガード部材が設けられている、電気加熱調理器。
【請求項２】
前記ガード部材は、前記把手と一体的に設けられている、請求項１に記載の電気加熱調理器。
【請求項３】
前記ガード部材と前記扉との間に空間が設けられている、請求項１又は２に記載の電気加熱調理器。
【請求項４】
前記ガード部材の高さ方向の幅が前記把手の高さ方向の幅よりも大きい、請求項１〜３のいずれか１項に記載の電気加熱調理器。
【請求項５】
前記把手は、前記扉の外側上端部に設けられている、請求項１〜４のいずれか１項に記載の電気加熱調理器。
【発明の詳細な説明】
【技術分野】
【０００１】
本発明は、オーブントースターなどの高温となる部品の近傍に把手を備える電気加熱調理器に関するものである。
【背景技術】
【０００２】
従来、この種の電気加熱調理器としては、図７に示すような構造のものが知られている（例えば、特許文献１：特開平０６−１７４２３９号公報参照）。図７において、従来の電気加熱調理器は、前面に開口部１０１ａを有する筐体１０１と、開口部１０１ａを開閉可能な扉１０２とを備えている。
【０００３】
筐体１０１の内部には、調理物を加熱するための空間である加熱室１０３が設けられている。加熱室１０３内には、調理物を上方から加熱する上ヒーター１０４と、調理物を下方から加熱する下ヒーター１０５とが設けられている。上ヒーター１０４と下ヒーター１０５との間には、調理物を載せる網１０６が設けられている。筐体１０１の底部には、調理物から発生した屑を受ける屑受け皿１０７が着脱自在に設けられている。また、筐体１０１の底部には、屑受け皿１０７が設置面に接触しないように筐体１０１を支持する脚部１０８が設けられている。筐体１０１の開口部１０１ａの下方には、上ヒーター１０４及び下ヒーター１０５の火力や加熱時間等の設定が行われる操作部１０９が設けられている。
【０００４】
扉１０２は、下部に配置された回動軸１０２ａを中心として回動自在に設けられている。扉１０２の外側上部には、扉１０２の開閉操作の際に使用者に把持される把手１１０が設けられている。把手１１０の先端部には、使用者の指先が引っかかりやすいように突起部１１０ａが設けられている。使用者は、この突起部１１０ａを含む把手１１０を手指で把持して扉１０２を開閉し、加熱室１０３内に調理物を出し入れして加熱調理を行う。
【先行技術文献】
【特許文献】
【０００５】
【特許文献１】特開平０６−１７４２３９号公報
【発明の概要】
【発明が解決しようとする課題】
【０００６】
前記従来の構成では、加熱調理中に高温となる加熱室１０３に面している扉１０２も高温になるため、扉１０２から離れる方向に把手１０９を延設し、使用者の手指が扉１０２に触れにくいようにしている。しかしながら、例えば、扉１０２を閉める際に、把手１１０を持つ手指が、扉１０２を閉める勢いにより把手１１０上を滑るなどして、誤って高温の扉１０２に触れてしまうことがある。この場合、使用者は、手指をやけどする恐れがある。
【０００７】
従って、本発明の目的は、前記従来の課題を解決することにあって、やけどの危険性をより一層抑えることができる電気加熱調理器を提供することにある。
【課題を解決するための手段】
【０００８】
前記従来の課題を解決するために、本発明によれば、前面に開口部を有する筐体と、
前記筺体内に設けられた加熱室に面するように配置され、回動軸を中心として回動することにより前記開口部を開閉可能な扉と、
前記加熱室内を加熱するヒーターと、
を備え、
前記扉には、把手が設けられ、
前記把手には、前記扉の開閉操作の際に使用者に把持される部分であって、前記扉から離れて位置する把持部を有し、
前記把持部と前記扉との間には、前記把持部を把持する使用者の手指が前記扉に直接接触することを妨げるガード部材が設けられている、電気調理器を提供する。
【発明の効果】
【０００９】
本発明の電気加熱調理器によれば、把手の把持部と扉との間にガード部材を設けているので、やけどの危険性をより一層抑えることができる。
【図面の簡単な説明】
【００１０】
【図１】本発明の第１実施形態にかかる電気加熱調理器の扉を閉じた状態を示す縦断面図である。
【図２】本発明の第１実施形態にかかる電気加熱調理器の斜視図である。
【図３】本発明の第１実施形態にかかる電気加熱調理器の扉を開いた状態を示す縦断面図である。
【図４】本発明の第２実施形態にかかる電気加熱調理器の扉を閉じた状態を示す縦断面図である。
【図５】本発明の第３実施形態にかかる電気加熱調理器の扉を開いた状態を一部拡大して示す断面図である。
【図６】本発明の第４実施形態にかかる電気加熱調理器の扉を開いた状態を一部拡大して示す断面図である。
【図７】従来の電気加熱調理器の縦断面図である。
【発明を実施するための形態】
【００１１】
本発明の第１態様によれば、前面に開口部を有する筐体と、
前記筺体内に設けられた加熱室に面するように配置され、回動軸を中心として回動することにより前記開口部を開閉可能な扉と、
前記加熱室内を加熱するヒーターと、
を備え、
前記扉には、把手が設けられ、
前記把手は、前記扉の開閉操作の際に使用者に把持される部分であって、前記扉から離れて位置する把持部を有し、
前記把持部と前記扉との間には、前記把持部を把持ずる使用者の手指が前記扉に直接接触することを妨げるガード部材が設けられている、電気調理器を提供する。
【００１２】
本発明の第２態様によれば、前記ガード部材は、前記把手と一体的に設けられている、第１態様に記載の電気加熱調理器を提供する。
【００１３】
本発明の第３態様によれば、前記ガード部材と前記扉との間に空間が設けられている第１又は２態様に記載の電気加熱調理器を提供する。
【００１４】
本発明の第４態様によれば、前記ガード部材の高さ方向の幅が前記把手の高さ方向の幅よりも大きい、第１〜３態様のいずれか１つに記載の電気加熱調理器を提供する。
【００１５】
本発明の第５態様によれば、前記把手は、前記扉の外側上端部に設けられている、第１〜４態様のいずれか１つに記載の電気加熱調理器を提供する。
【００１６】
以下、本発明の実施形態について、図面を参照しながら説明する。なお、以下の実施形態によって本発明が限定されるものではない。
【００１７】
（第１実施形態）
図１は、本発明の第１実施形態にかかる電気加熱調理器の扉を閉じた状態を示す縦断面図である。図２は、本発明の第１実施形態にかかる電気加熱調理器の斜視図である。図３は、本発明の第１実施形態にかかる電気加熱調理器の扉を開いた状態を示す縦断面図である。
【００１８】
図１から図３において、本第１実施形態にかかる電気加熱調理器は、前面に開口部１ａを有する筐体１と、開口部１ａを開閉可能な扉２とを備えている。
【００１９】
筐体１の内部には、調理物を加熱するための空間である加熱室３が設けられている。加熱室３は、筐体１の内壁となる内筐体１ｂにより形成されている。加熱室３内には、調理物を上方から加熱する上ヒーター４と、調理物を下方から加熱する下ヒーター５とが設けられている。
【００２０】
上ヒーター４と下ヒーター５との間には、調理物を載せる網６が設けられている。網６は、内筐体１ｂの一対の側壁にそれぞれ設けられた網載置部１ｃ，１ｃに載置される。筐体１の底部には、調理物から発生した屑を受ける屑受け皿７が着脱自在に設けられている。また、筐体１の底部には、屑受け皿７が電気加熱調理器の設置面に接触しないように筐体１を支持する脚８が設けられている。筐体１の開口部１ａの下方には、上ヒーター４及び下ヒーター５の火力や加熱時間等の設定が行われる操作部９が設けられている。操作部９で設定された情報は、制御部（図示せず）に伝達される。当該制御部は、操作部９で設定された情報に基づいて、上ヒーター４及び下ヒーター５の加熱動作を制御する。
【００２１】
扉２は、下部に配置された回動軸２ａを中心として回動自在に設けられている。扉２は、加熱室３内を視認可能にする耐熱性のガラス部２ｂと、ガラス部２ｂの外周部を保持する外周枠部２ｃとを備えている。扉２の外側上部には、把手１０が設けられている。
【００２２】
把手１０は、Ｕ字状に形成され、扉２の開閉操作の際に使用者に把持される部分であって、扉２から離れて位置する把持部１１と、扉２と把持部１１とを接続する部分であるアーム部１２とを備えている。把持部１１と対向する扉５の表面には、把持部１１を把持する使用者の手指が扉２に直接接触することを妨げるガード部材１３が設けられている。把手１０とガード部材１３とは、耐熱性が高く、熱伝導の小さい材料（例えば、フェノール樹脂）で形成されている。
【００２３】
また、扉２の内側下方には、ストッパー１４が設けられている。ストッパー１４は、図３に示すように、扉２が開けられた際、把手１０が電気加熱調理器の設置面から離れた位置（例えば、設置面から上方へ３０ｍｍ離れた位置）で保持されるように扉５の回動範囲を規制する。把手１０が前記設置面から離れた位置で保持されることにより、扉２を閉じる際、使用者は、把手１０と前記設置面との間に手指を挿入して、容易に把持部１１を把持することができる。
【００２４】
また、扉２の内面には、網載置部１ｃに載置された網６と係合可能なフック部１５が設けられている。フック部１５は、後方突起１５ａと前方突起１５ｂとを有している。後方突起１５ａは、図３に示すように、扉２が開けられた際に網６と係合し、網６を前方に引き出すように設けられている。後方突起１５ａが網６を前方に引き出すことにより、網６の上に調理物を置くことが容易になる。前方突起１５ｂは、扉２が閉められる際に網６と係合し、網６を後方に押し込むように設けられている。
【００２５】
なお、前方突起１５ｂは、図３に示すように、扉２を開いたときにおける先端部の高さが網載置部１ｃに載置された網６よりも高くなるように設けられることが好ましい。これにより、勢い良く扉２を開いた場合であっても、網６の前方への移動を前方突起１５ｂにより停止させることができ、網６及び調理物が加熱室３の外側に投げ出されることを防ぐことができる。
【００２６】
本第１実施形態にかかる電気加熱調理器によれば、把手１０の把持部１１と対向する扉２の表面にガード部材１３を設けているので、例えば、扉２を閉める勢いにより把持部１１を持つ使用者の手指が扉２側へ移動した場合であっても、ガード部材１３により使用者の手指が扉２に直接接触することを抑えることができる。従って、やけどの危険性をより一層抑えることができる。
【００２７】
（第２実施形態）
図４は、本発明の第２実施形態にかかる電気加熱調理器の扉を閉じた状態を示す縦断面図である。本第２実施形態の電気加熱調理器が前記第１実施形態の電気加熱調理器と異なる点は、ガード部材１３Ａと扉２との間に３ｍｍ程度の空間３０を設けている点である。
【００２８】
本発明の第２実施形態にかかる電気加熱調理器によれば、ガード部材１３Ａと扉２との間に空間３０を設けているので、ガード部材１３Ａに対して扉２の熱が伝わることを抑えることができる。これにより、ガード部材１３Ａの温度上昇を防止することができ、やけどの危険性をより一層抑えることができる。
【００２９】
なお、空間３０の距離は、３ｍｍに限定されるものではなく、扉２からガード部材Ａ１３への熱の伝わりを低減することができる距離であればよい。
【００３０】
（第３実施形態）
図５は、本発明の第３実施形態にかかる電気加熱調理器の扉を開いた状態を一部拡大して示す断面図である。本第３実施形態の電気加熱調理器が前記第１実施形態の電気加熱調理器と異なる点は、ガード部材１３Ｂの高さ方向（扉２の外表面に沿う方向）の幅ｈ１を把持部２１の高さ方向の幅ｈ２よりも大きくしている点である。
【００３１】
ガード部材１３Ｂの幅ｈ１が把持部１１の幅ｈ２より小さい場合、使用者が把持部１１を把持するために把持部１１とガード部材１３Ｂとの間に手指を挿入する角度によっては、当該手指が扉２に触れてしまうことが起こり得る。
【００３２】
これに対して、本第３実施形態にかかる電気加熱調理器によれば、ガード部材１３Ｂの幅ｈ１を把持部２１の幅ｈ２よりも大きくしているので、使用者の手指が扉２に触れてしまうことを抑えることができる。従って、やけどの危険性をより一層抑えることができる。
【００３３】
なお、図５では、ガード部材１３Ｂを把持部１１に対して概ね左右均等な位置に設けたが、本発明はこれに限定されない。例えば、ガード部材１３Ｂを把持部１１に対して図５の左側又は右側に偏った位置に設けてもよい。この場合でも、前記第１実施形態にかかる電気加熱調理器よりも、使用者の手指が扉２に触れてしまうことを抑えることができ、やけどの危険性をより一層抑えることができる。
【００３４】
（第４実施形態）
図６は、本発明の第４実施形態にかかる電気加熱調理器の扉を開いた状態を一部拡大して示す断面図である。本第４実施形態の電気加熱調理器が前記第１実施形態の電気加熱調理器と異なる点は、把手１０を扉２の外側上端部に配置している点である。
【００３５】
扉２を開けた状態から閉じた状態にするために、使用者が、扉２の上端部側から把持部２１と扉２との間に手指を挿入して把手１０を把持する場合、使用者の手指が扉２側に寄って挿入されると、使用者の手指が誤って扉２の外側上端部に触れる恐れがある。
【００３６】
本第４実施形態にかかる電気加熱調理器によれば、把手１０を扉２の外側上端部に設けているので、使用者の手指が扉２の外側上端部に触れることをなくすことができる。従って、やけどの危険性をより一層抑えることができる。
【００３７】
なお、本発明は前記各実施形態に限定されるものではなく、その他種々の態様で実施できる。例えば、前記では、上ヒーター４と下ヒーター５とで、加熱室３内を加熱するヒーターが構成されるものとしたが、本発明はこれに限定されない。例えば、本発明のヒーターは、上ヒーター４及び下ヒーター５のいずれか一方のみで構成されてもよい。また、本発明のヒーターは、３つ以上のヒーターで構成されてもよい。
【００３８】
また、前記では、把手１０とガード部材１３とを別々の部品として説明したが、本発明はこれに限定されない。例えば、把手１０とガード部材１３とは、一体的に形成されてもよい。すなわち、把手１０を環状に形成して、扉２と接触する取付部分をガード部材１３としてもよい。この場合、部品点数の増加を抑えることができるとともに、把手１０とガード部材１３とを別々に扉２に取り付ける必要がないので製造工程の増加を抑えることができる。また、把手１０とガード部材１３Ａ（図４参照）とを一体的に形成するようにしてもよい。この場合でも、同様の効果を得ることができる。
【００３９】
また、前記では、操作部９を扉２の下方に設けたが、本発明はこれに限定されない。操作部９は、筐体１の前面の扉２の側方など操作の支障のない位置に設ければよい。
【００４０】
なお、前記様々な実施形態のうちの任意の実施形態を適宜組み合わせることにより、それぞれの有する効果を奏するようにすることができる。
【００４１】
本発明は、添付図面を参照しながら好ましい実施形態に関連して充分に記載されているが、この技術に熟練した人々にとっては種々の変形や修正は明白である。そのような変形や修正は、添付した請求の範囲による本発明の範囲から外れない限りにおいて、その中に含まれると理解されるべきである。
【産業上の利用可能性】
【００４２】
本発明にかかる電気加熱調理器は、やけどの危険性をより一層抑えることができるので、オーブントースターなどの高温となる部品の近傍に把手を備える電気加熱調理器に有用である。
【符号の説明】
【００４３】
１    筐体
１ａ  開口部
２    扉
３    加熱室
４    上ヒーター
５    下ヒーター
６    網
７    屑受け皿
８    脚
９    操作部
１０    把手
１１    把持部
１２    アーム部
１３，１３Ａ，１３Ｂ    ガード部材
１４    ストッパー
１５    フック部
１５ａ  後方突起
１５ｂ  前方突起
３０    空間
【図１】
2012149870.tif 000003
【図２】
2012149870.tif 000004
【図３】
2012149870.tif 000005
【図４】
2012149870.tif 000006
【図５】
2012149870.tif 000007
【図６】
2012149870.tif 000008
【図７】
2012149870.tif 000009